(57)【要約】【課題】衣服のウエスト部に着脱自在に取付けることができるとともに、ウエスト部のサイズを大きくすること、又は、小さくすること、の両方の調整が可能なウエスト調整具を提供する。【解決手段】ズボンやスカートなどの衣服のウエスト部の前開き部分に取付けられた第一係止部材と第二係止部材との間に装着するウエスト調整具であって、前記ウエスト調整具は、前記第一係止部材と係合し得る係合部を有する帯状体と、前記帯状体の両端に前記第二係止部材と係合する係合片と、からなることを特徴とするウエスト調整具。【選択図】図１
2018066068.tif 000002
【特許請求の範囲】
【請求項１】
ズボンやスカートなどの衣服のウエスト部の前開き部分に取付けられている第一係止部材と第二係止部材との間に装着するウエスト調整具であって、前記ウエスト調整具は、前記第一係止部材と係合し得る係合部を有する帯状体と、前記帯状体の両端に前記第二係止部材と係合する係合片と、からなることを特徴とするウエスト調整具。  
【請求項２】
帯状体から延設されウエスト部を挟持する挟持片を有することを特徴とする請求項１記載のウエスト調整具。
【請求項３】
一方の係合片は、他方の係合片と同じ方向になるように折り返されていることを特徴とする請求項１又は２のいずれか一項に記載のウエスト調整具。
【請求項４】
第一係止部材であるフックと、第二係止部材であるアイ部材と、が取付けられたウエスト部に装着するウエスト調整具であって、
係合部は、細長い板体からなる帯状体を複数の段部を有する階段状に折曲形成し、前記段部間の段差に設けられていて前記第一係止部材である前記フックと係合し得る開孔部であり、
係合片は、前記第二係止部材である前記アイ部材に嵌入し得る突出片であること、を特徴とする請求項１ないし３のいずれか一項に記載のウエスト調整具。
【請求項５】
第一係止部材であるボタン穴と、第二係止部材であるボタンと、が取付けられたウエスト部に装着するウエスト調整具であって、
係合部は、前記第一係止部材である前記ボタン穴と係合し得る複数のボタンであり、
係合片は、前記第二係止部材である前記ボタンのボタン取付部と係合する溝部であること、を特徴とする請求項１ないし３のいずれか一項に記載のウエスト調整具。
【発明の詳細な説明】
【技術分野】
【０００１】
本発明は、ズボンやスカートなどの衣服のウエスト部に取付けてウエスト部のサイズを調整するウエスト調整具に関する。
【背景技術】
【０００２】
従来、肥満などの様々な要因によって着用者の体型が変化し、とりわけ着用者のウエストサイズの変化によって、ズボンやスカートの衣服などが着用できなくなった際に、衣服のウエスト部に縫い付けることなく着脱自在に装着することができるとともに、ウエスト部のサイズを調整することが可能なウエスト調整具が提案されている。
【０００３】
例えば、特許文献１記載に係るウエスト調整具は、ウエスト部の環・フック、あるいは、ボタン・ボタン穴からなる係止部材間に装着してウエストサイズを大きくすることが可能なウエスト調整具が開示されている。  
【０００４】
また、特許文献２記載に係るウエスト調整具は、一枚の金属板からなりウエスト部に挟持させる挟持片を備えるとともに、その挟持片に設けられた係止部にウエスト部の雄フック部を係合させることでウエスト部のサイズを調整して小さくすることが可能なウエスト調整具が開示されている。
【先行技術文献】
【特許文献】
【０００５】
【特許文献１】特開２０１１―２０８３０８号公報（特許第５５２８８７８号）
【特許文献２】特開平１１−７５９１３号公報（特許第２９１６４４４号）
【発明の概要】
【発明が解決しようとする課題】
【０００６】
しかしながら、上記特許文献に記載された発明は、衣服のウエスト部のサイズを大きくすること、又は、小さくすること、のどちらか一方のみの調整するものであり、それら両方に対応することができない欠点があった。本発明は、衣服のウエスト部に着脱自在に取付けることができるとともに、ウエスト部のサイズを大きくすること、又は、小さくすること、の両方の調整が可能なウエスト調整具を提供することを目的とする。
【課題を解決するための手段】
【０００７】
上記課題に鑑み、本発明は、ズボンやスカートなどの衣服のウエスト部の前開き部分に取付けられている第一係止部材と第二係止部材との間に装着するウエスト調整具であって、前記ウエスト調整具は、前記第一係止部材と係合し得る係合部を有する帯状体と、前記帯状体の両端に前記第二係止部材と係合する係合片と、からなることを特徴とする。
【０００８】
また、上述した構成に加え、帯状体から延設されウエスト部を挟持する挟持片を有することが好ましい。
【０００９】
また、上述した構成に加え、一方の係合片は、他方の係合片と同じ方向になるように折り返されていることが好ましい。
【００１０】
また、上述した構成において、第一係止部材であるフックと、第二係止部材であるアイ部材と、が取付けられたウエスト部に装着するウエスト調整具であって、
係合部は、細長い板体からなる帯状体を複数の段部を有する階段状に折曲形成し、前記段部間の段差に設けられていて前記第一係止部材である前記フックと係合し得る開孔部であり、
係合片は、前記第二係止部材である前記アイ部材に嵌入し得る突出片であること、が好ましい。
【００１１】
また、上述した構成において、第一係止部材であるボタン穴と、第二係止部材であるボタンと、が取付けられたウエスト部に装着するウエスト調整具であって、
係合部は、前記第一係止部材である前記ボタン穴と係合し得る複数のボタンであり、
係合片は、前記第二係止部材である前記ボタンのボタン取付部と係合する溝部であること、が好ましい。
【発明の効果】
【００１２】
請求項１、４、５記載の発明よれば、ウエスト部の第一係止部材（例えば、フック、ボタン穴）と第二係止部材（例えば、アイ部材、ボタン）との間に着脱自在に装着することができるとともに、ズボンやスカートのウエストサイズを着用者のウエストサイズに合わせてウエスト部のサイズを大きくすること、又は、小さくすること、の両方の調整が可能である。
【００１３】
請求項２記載の発明によれば、ウエスト調整具をウエスト部に挟持させることで、装着時にずり落ちることを防止することが可能である。
【００１４】
請求項３記載の発明によれば、折り返された係合片によって、ウエスト部のサイズを大きく調整する際に、露出するウエスト部の第一係止部材を隠すことが可能である。  
【図面の簡単な説明】
【００１５】
【図１】本発明の実施形態１のウエスト調整具を示す斜視図である。
【図２】図１のウエストサイズ調整を背面側から見た斜視図である。
【図３】図１のウエスト調整具をウエスト部に装着してウエスト部のサイズを大きく調整する使用方法を示す(a)アイ部材に装着した状態を示す正面図、(b)フックを開孔部に係合した状態を示す正面図、及び、(c)B−B間のA−A線断面図である。
【図４】図１のウエスト調整具をウエスト部に装着してウエスト部のサイズを小さく調整する使用方法を示す(a)アイ部材に装着した状態を示す正面図、(b) フックをウエスト調整具の開孔部に係合した状態を示す正面図、及び、(c)D−D間のC−C線断面図である。
【図５】本発明の実施形態２のウエスト調整具を示す (a)斜視図、及び、(b)背面側からみた斜視図である。
【図６】図５のウエスト調整具をウエスト部に装着してウエスト部のサイズを大きく調整する使用方法を示す(a)ウエスト部のボタンに装着した状態を示す正面図、(b)ウエスト部のボタン穴をウエスト調整具のボタンに係合した状態を示す正面図、及び、(c)F−F間のE−E線断面図である。
【図７】図５のウエスト調整具をウエスト部に装着してウエスト部のサイズを小さく調整する使用方法を示す(a)ウエスト部のボタンに装着した状態を示す正面図、(b) ウエスト部のボタン穴をウエスト調整具のボタンに係合した状態を示す正面図、及び、(c)H−H間のG−G線断面図である。
【発明を実施するための形態】
【００１６】
本発明の実施形態について図に基づいて詳細に説明する。
【００１７】
(実施形態１)
ウエスト調整具１００は、図１−３に示すように、ズボン２０（又はスカート）のウエスト部２１の前開き部分に取付けられた第一係止部材２２であるフック２２ａと第二係止部材２３であるアイ部材２３ａとの間に装着することによってウエスト部２１のサイズを調整するものであって、フック２２ａと係合する係合部１５を備える帯状体１０と、帯状体１０の両端にアイ部材２３ａと係合する係合片１１、１１と、前記帯状体１０の長手方向に対して略垂直方向に延設してウエスト部２１の裏側に折曲げてウエスト部２１を挟持する挟持片１２と、を主要部として構成されるものである。  
【００１８】
より具体的には、この帯状体１０は、細長い金属の板体を複数の段部１３、１３を有する階段状に折曲形成され、その段部１３、１３間の段差１４、１４にウエスト部２１のフック２２ａを係合させ得る開孔部１５ａ、１５ａが設けられ、ウエスト部２１のフック２２ａをこの複数の開孔部１５ａ、１５ａのいずれか一つに係合することでウエスト部２１のサイズを調整することができる係合部１５を有するものとしてある。また、階段状の段部１３、１３間の傾斜した段差１４、１４に係合し得る複数の開孔部１５ａ、１５ａを備えることで、ウエスト部２１のフック２２ａを係合させやすくするとよい。
【００１９】
係合片１１、１１は、図２に示すように、丸みを帯びて突出し、ウエスト部２１に取付けられたアイ部材２３ａに嵌挿し得る形状（例えば、フック２２ａ先端と同様の形状）に形成され、一方の係合片１１は、他方の係合片１１と同じ方向になるように折り返されていることが好ましい。この折り返された係合片１１によって、ウエスト部２１のサイズを大きく調整する際に、ウエスト部２１のアイ部材２３ａを折り返された係合片１１によって覆い隠すことができ、見栄えがよくなる。
【００２０】
帯状体１０は、着用者のウエストの形状に合致するように全体を湾曲状に変形させ得ることが好ましい。  
【００２１】
挟持片１２は、折り返された係合片１１の近傍に設けられることが好ましい。  
【００２２】
段部１３、１３は、段差１４、１４に形成された開孔部１５ａ、１５ａにフック２２ａを挿入した状態において、フック２２ａを外れにくくするためにフック２２ａと接するように突出した突条１３ａ、１３ａを有することが好ましい。
【００２３】
次に、上述したウエスト調整具１００を使用してズボン２０のウエスト部２１のサイズを大きくする、又は、小さくする調整方法について図３及び図４に基づいて説明する。
【００２４】
(ウエスト部のサイズを大きくする調整方法)  
ウエスト部２１のアイ部材２３ａにウエスト調整具１００の折り返された係合片１１側の突出片１１ａを嵌挿するとともに、挟持片１２をウエスト部２１に挟持させ、ウエスト調整具１００をウエスト部２１に装着する（図３(a)参照）。そして、着用者のウエストサイズに合うように適宜の位置の係合部１５である開孔部１５ａ、１５ａのいずれかにウエスト部２１のフック２２ａを嵌挿して係止する（図３(b)、(c)参照）。したがって、アイ部材２３ａよりも離れた位置にある開孔部１５ａ、１５ａのいずれかにフック２２ａを嵌挿して係止することができ、ウエスト部２１のサイズを大きくする調整をすることができる。
【００２５】
(ウエスト部のサイズを小さくする調整方法)
ウエスト部２１のアイ部材２３ａにウエスト調整具１００の折り返されてない係合片１１側の突出片１１ａを嵌挿するとともに、挟持片１２をウエスト部２１に挟持させ、ウエスト調整具１００をウエスト部２１に装着する（図４(a)参照）。そして、着用者のウエストサイズに合うように適宜の位置の帯状体１０に設けられた係合部１５である複数の開孔部１５ａ、１５ａのいずれかにウエスト部２１のフック２２ａを嵌挿して係止する（図４(b)、(c)参照）。したがって、アイ部材２３ａよりも反対方向に位置する複数の開孔部１５ａ、１５ａのいずれかにフック２２aを嵌挿して係止することができ、ウエスト部２１のサイズを小さくする調整をすることができる。
【００２６】
(実施形態２)
また他の実施形態として、ズボン２０（又はスカートなど）のウエスト部２１の第一係止部材２２がボタン穴２２ｂ、第二係止部材２３がボタン２３ｂに装着するウエスト調整具１０１について説明する。
【００２７】
このウエスト調整具１０１は、図５に示すように、細長い金属の板体に複数のボタン１５ｂ、１５ｂを並列して配列した係合部１５を備える帯状体１０と、ウエスト部２１の表側とボタン２３ｂとの間のボタン糸などのボタン取付部２３ｃに係合する略L字状の溝部１１ｂからなる係合片１１と、を備えるものとしてある。  
【００２８】
次に、上述したウエスト調整具１０１を使用してズボン２０のウエスト部２１のサイズを大きくする、又は、小さくする調整方法について図６及び図７に基づいて説明する。  
【００２９】
(ウエスト部のサイズを大きくする調整方法)  
ウエスト部２１のボタン２３ｂのボタン取付部２３ｃにウエスト調整具１０１の折り返された係合片１１側の溝部１１ｂを係合するとともに、挟持片１２をウエスト部２１に挟持させ、ウエスト調整具１０１をウエスト部２１に装着する（図６(a)参照）。そして、着用者のウエストサイズに合うように適宜の位置の係合部１５であるボタン１５ｂ、１５ｂのいずれかをウエスト部２１のボタン穴２２ｂに嵌挿して係止する（図６(b)、(c)参照）。したがって、ボタン２３ｂよりも離れた位置にあるボタン１５ｂ、１５ｂのいずれかをボタン穴２２ｂに係止することができ、ウエスト部２１のサイズを大きくする調整をすることができる。
【００３０】
(ウエスト部のサイズを小さくする調整方法)
ウエスト部２１のボタン２３ｂにウエスト調整具１０１の折り返されてない係合片１１側の溝部１１ｂを係合するとともに、挟持片１２をウエスト部２１に挟持させ、ウエスト調整具１０１をウエスト部２１に装着する（図７(a)参照）。そして、着用者のウエストサイズに合うように適宜の位置の帯状体１０に設けられた係合部１５である複数のボタン１５ｂ、１５ｂのいずれかをウエスト部２１のボタン穴２２ｂに係止する（図７(b)、(c)参照）。したがって、ボタン２３ｂよりも反対方向に位置する複数のボタン１５ｂ、１５ｂのいずれかをボタン穴２２ｂに嵌挿して係止することができ、ウエスト部２１のサイズを小さくする調整をすることができる。
【００３１】
したがって、上述した構成からなるウエスト調整具１００、１０１は、ウエスト部２１に着脱自在に装着することができるとともに、ズボン２０（又はスカートなど）の第一係止部材２２（フック２２ａ又はボタン穴２２ｂ）と第二係止部材２３（アイ部材２３ａ又はボタン２３ｂ）との間に装着することができ、ウエスト部２１のサイズを着用者のウエストサイズに合わせてウエスト部２１のサイズを大きくすること、又は、小さくすること、の両方の調整をすることが可能である。      
【符号の説明】
【００３２】
100、101…ウエスト調整具、10…帯状体、11…係合片、11ａ…突出片、11b…溝部、12…挟持片、13…段部、13ａ…突条、14…段差、15…係合部（15ａ…開孔部、15b…ボタン）、20…ズボン、21…ウエスト部、22…第一係止部材（22ａ…フック、22ｂ…ボタン穴）、23…第二係止部材（23ａ…アイ部材、23b…ボタン、23c…ボタン取付部）
【図１】
2018066068.tif 000003
【図２】
2018066068.tif 000004
【図３】
2018066068.tif 000005
【図４】
2018066068.tif 000006
【図５】
2018066068.tif 000007
【図６】
2018066068.tif 000008
【図７】
2018066068.tif 000009